(57)【特許請求の範囲】
【請求項１】
基板を水平に保持する基板保持部と、
この基板保持部により保持される基板の上方に設けられ、基板表面に薬液の供給を行うノズルと、
このノズルにおける薬液供給時に、基板に接触しなかった薬液を、基板に接触した薬液から分離して回収するための薬液回収手段と、
回収した薬液を再利用するために、該薬液を前記薬液回収手段からノズルへと循環させる循環機構と、を備えることを特徴とする液処理装置。
【請求項２】
基板表面に薬液の供給を行うノズルは基板の有効領域の幅と同じかそれ以上の長さに亘って左右方向に配列された薬液の吐出口を有し、前方に移動しながら薬液の供給を行うものであり、
薬液回収手段は、基板の周囲に設けられた薬液回収口を有するものであることを特徴とする請求項１記載の液処理装置。
【請求項３】
基板と薬液回収口の口縁との間には、基板表面に供給された塗布液が薬液回収口に流れ落ちないように、隙間が形成されていることを特徴とする請求項２記載の液処理装置。
【請求項４】
基板を水平に保持する基板保持部と、
この基板保持部により保持される基板の上方に設けられ、基板表面に薬液の供給を行うノズルと、
このノズルにおける薬液供給時に、基板に塗布されなかった薬液を回収するための薬液回収手段と、
回収した薬液を再利用するために、該薬液を前記薬液回収手段からノズルへと循環させる循環機構と、
薬液が供給された基板上に洗浄液を供給するためのノズルと、
前記洗浄液により基板から洗い流された薬液を排出する、前記薬液回収手段とは別個のドレインラインと、を備え、
基板表面に薬液の供給を行うノズルは基板の有効領域の幅と同じかそれ以上の長さに亘って左右方向に配列された薬液の吐出口を有し、前方に移動しながら薬液の供給を行うものであり、
薬液回収手段は、基板の周囲に設けられた薬液回収口を有するものであり、
基板と薬液回収口の口縁との間には、基板表面に供給された塗布液が薬液回収口に流れ落ちないように、隙間が形成されていることを特徴とする液処理装置。
【請求項５】
循環機構は、薬液回収手段にて回収した薬液を貯留する回収槽と、
ノズル側へ送液する前に、前記回収槽から送られてくる薬液または新たな薬液を貯留する貯留槽と、を備えることを特徴とする請求項１ないし４のいずれか一つに記載の液処理装置。
【請求項６】
薬液回収手段には排気手段が設けられることを特徴とする請求項１ないし５のいずれかに記載の液処理装置。
【請求項７】
薬液は現像液であることを特徴とする請求項１ないし６のいずれかに記載の液処理装置。
【請求項８】
現像処理時において、排気手段による排気を停止する制御部を備えることを特徴とする請求項７記載の液処理装置。
【請求項９】
各々が排気手段を有する複数の薬液回収手段が設けられ、制御部は、ノズルが上方を通過して薬液供給の終わった部位の薬液回収手段ごとに、順次排気を停止していくように排気手段の制御を行うものであることを特徴とする請求項８記載の液処理装置。
【請求項１０】
排気手段はノズルの進路に沿って複数設けられており、制御部は、ノズルが通過した位置に対応する排気手段から順次排気を停止する制御を行うものであることを特徴とする請求項８記載の液処理装置。
【請求項１１】
ノズルは基板の有効領域の幅と同じかそれ以上の長さに亘って左右方向に配列された薬液の吐出口を有し、前方に移動しながら薬液の供給を行うものであり、
薬液回収手段は、前記ノズルの両端に対応する位置に互いに対向して設けられる一対の液受けユニットを備えたことを特徴とする請求項１記載の液処理装置。
【請求項１２】
基板を水平に保持する基板保持部と、
この基板保持部により保持される基板の上方に設けられ、基板表面に薬液の供給を行うノズルと、
このノズルにおける薬液供給時に、基板に塗布されなかった薬液を回収するための薬液回収手段と、
回収した薬液を再利用するために、該薬液を前記薬液回収手段からノズルへと循環させる循環機構と、
薬液が供給された基板上に洗浄液を供給するためのノズルと、
前記洗浄液により基板から洗い流された薬液を排出する、前記薬液回収手段とは別個のドレインラインと、を備え、
ノズルは基板の有効領域の幅と同じかそれ以上の長さに亘って左右方向に配列された薬液の吐出口を有し、前方に移動しながら薬液の供給を行うものであり、
薬液回収手段は、前記ノズルの両端に対応する位置に互いに対向して設けられる一対の液受けユニットを備えたことを特徴とする液処理装置。
【請求項１３】
基板は半導体ウエハであり、液受けユニットはノズルから基板の薬液供給領域以外の部位に供給される薬液を回収できるように、半導体ウエハの輪郭に応じて左右方向に移動するように構成されたことを特徴とする請求項１１または１２記載の液処理装置。
【請求項１４】
各液受けユニットに設けられる排気手段と、薬液に現像液を用いて現像処理を行うとき、前記排気手段による排気を停止する制御を行う制御部と、を備えることを特徴とする請求項１３記載の液処理装置。
【請求項１５】
水平保持した基板に対し、ノズルから薬液の供給を行う工程と、
ノズルから供給された薬液のうち、基板に接触しなかった薬液を、薬液回収手段により基板に接触した薬液から分離して回収する工程と、
次いで、基板上に洗浄液を供給し、この洗浄液により基板から洗い流された薬液を前記薬液回収手段とは別個のドレインラインにより排出する工程と、
薬液回収手段により回収された薬液をノズルへ送って再利用する工程と、を含むことを特徴とする液処理方法。
【発明の詳細な説明】
【０００１】
【発明の属する技術分野】
本発明は半導体ウエハやＬＣＤ基板（液晶ディスプレイ用ガラス基板）等の基板に対し、例えば塗布処理後の基板に露光処理を行い、その後該基板表面に現像液を供給する現像処理等の液処理を行う装置及びその方法に関する。
【０００２】
【従来の技術】
従来から、半導体デバイスやＬＣＤの製造プロセスにおいて行われる現像処理では、例えば図１１(a)に示されるように、被処理対象であるウエハＷの直径方向に対応する長さに亘って多数の吐出孔１１が配列されるノズル１２を用いて、ウエハＷに対する現像液の供給が行われている。この現像液の供給は図１１(b)に示すように、例えばノズル１２をウエハＷの１mm上方となるように位置させ、吐出孔１１から現像液をウエハＷ表面の直径方向中央部に供給しながらウエハＷを１８０度回転させる。こうすることで、ウエハＷの直径方向に亘って吐出される現像液は、中央部からウエハＷ一円に広げられ、現像液の液膜がウエハＷ表面全体に所定の厚さで液盛りされることになる。
【０００３】
しかし、この方法ではウエハＷを回転させるため、最初に吐出した現像液と最後に吐出した現像液とが混じり合ってしまうこと、或いは回転により生じる現像液の慣性力により、液盛りされた現像液の液面に浪打ちが発生し、現像液の混じり合い方も激しいところとそうでないところが発生してしまうこと等の理由により、現像の程度に差が生じ、線幅の均一性が損なわれてしまうおそれがある。
【０００４】
このため、近年では上述したものと同様のノズルを使い、ウエハＷを回転させずに行う現像液供給方法が検討されている。その一例としては、例えば図１２に示すようなスキャン方式がある。この手法は、先ずノズル１２を点線で示すようにウエハＷの周縁外側に配置し、ここから現像液の吐出を行いながら反対側のウエハ周縁外側まで移動させ、ウエハＷの表面全体に現像液の液膜を形成しようとするものである。
【０００５】
【発明が解決しようとする課題】
しかし、上述したスキャン方式によれば、図１１にて説明したようなウエハＷの回転により生じる各種問題を回避できるものの、その一方で現像液の無駄が多くなるという問題がある。即ち、ウエハＷを回転させていたときにはごく僅かな量の現像液がウエハＷ外縁からこぼれ落ちる程度であったが、スキャン方式によれば、ノズル１２から図１２中に斜線１３で示す部位に供給される現像液が全て無駄となってしまう。具体的には従来の手法に比べて２倍程度の現像液が必要となるのだが、現像液は非常に高価であることから何らかの対策が必要であった。
【０００６】
本発明はこのような事情に基づいてなされたものであり、その目的は、例えば現像処理装置のような基板に対し液処理をおこなう装置において、薬液の無駄を防ぐと共に、製品の歩留まりを向上させることができる技術を提供することにある。
【０００７】
【課題を解決するための手段】
本発明に係る液処理装置は、基板を水平に保持する基板保持部と、
この基板保持部により保持される基板の上方に設けられ、基板表面に薬液の供給を行うノズルと、
このノズルにおける薬液供給時に、基板に接触しなかった薬液を、基板に接触した薬液から分離して回収するための薬液回収手段と、
回収した薬液を再利用するために、該薬液を前記薬液回収手段からノズルへと循環させる循環機構と、を備えることを特徴とする。
他の発明に係る液処理装置は、基板を水平に保持する基板保持部と、
この基板保持部により保持される基板の上方に設けられ、基板表面に薬液の供給を行うノズルと、
このノズルにおける薬液供給時に、基板に塗布されなかった薬液を回収するための薬液回収手段と、
回収した薬液を再利用するために、該薬液を前記薬液回収手段からノズルへと循環させる循環機構と、
薬液が供給された基板上に洗浄液を供給するためのノズルと、
前記洗浄液により基板から洗い流された薬液を排出する、前記薬液回収手段とは別個のドレインラインと、を備え、
基板表面に薬液の供給を行うノズルは基板の有効領域の幅と同じかそれ以上の長さに亘って左右方向に配列された薬液の吐出口を有し、前方に移動しながら薬液の供給を行うものであり、
薬液回収手段は、基板の周囲に設けられた薬液回収口を有するものであり、
基板と薬液回収口の口縁との間には、基板表面に供給された塗布液が薬液回収口に流れ落ちないように、隙間が形成されていることを特徴とする。
更に他の発明は、基板を水平に保持する基板保持部と、
この基板保持部により保持される基板の上方に設けられ、基板表面に薬液の供給を行うノズルと、
このノズルにおける薬液供給時に、基板に塗布されなかった薬液を回収するための薬液回収手段と、
回収した薬液を再利用するために、該薬液を前記薬液回収手段からノズルへと循環させる循環機構と、
薬液が供給された基板上に洗浄液を供給するためのノズルと、
前記洗浄液により基板から洗い流された薬液を排出する、前記薬液回収手段とは別個のドレインラインと、を備え、
ノズルは基板の有効領域の幅と同じかそれ以上の長さに亘って左右方向に配列された薬液の吐出口を有し、前方に移動しながら薬液の供給を行うものであり、
薬液回収手段は、前記ノズルの両端に対応する位置に互いに対向して設けられる一対の液受けユニットを備えたことを特徴とする。
【０００８】
このような構成によれば、液処理において従来無駄に捨てられていた分の薬液を有効に再利用できるため、装置のランニングコストを下げることができる。中でも現像液のような高価な薬液を用いたときに効果的であり、具体例としては基板の有効領域の幅と同じかそれ以上の長さに亘って左右方向に配列された薬液の吐出口を有するノズルを用い、該ノズルを前方に移動させながら薬液の供給を行うとき、基板の周囲に薬液回収口を有する薬液供給手段にて、基板に供給されなかった現像液を受け止める構成とした装置を挙げることができる。
【０００９】
この例において、例えば基板外縁と薬液回収口の口縁と間には基板表面に供給された塗布液が薬液回収口に流れ落ちないように、隙間が形成されていることが好ましく、このようにすることで例えば基板表面にて他の薬液と反応して生じる反応生成物が薬液回収手段に入り込むことを防ぐことができる。従って、回収した薬液に対して浄化或いは分離といった処理を行わずして再利用することができる。
【００１０】
また、薬液回収手段に排気手段を設け、現像時には該排気手段による排気を停止する構成としてもよい。このような構成によれば、現像液（薬液）供給の直前までは基板表面に気流を形成してパーティクル汚染を防ぐことができ、静止現像時には基板表面に気流が形成されず、現像液の液面が波立たないため、現像欠陥の発生を抑えることができ、製品の歩留まりを向上することができる。
【００１１】
なお、上記構成による装置において、薬液回収手段は前記ノズルの両端に対応する位置に、互いに対向して設けられる一対の液受けユニットを備えたものであってもよい。このような構成による薬液回収手段は基板に半導体ウエハを用いた際に有効であり、例えばノズルから基板の薬液供給領域以外の部位に供給される薬液を回収できるように、前記液受けユニットを半導体ウエハの輪郭に応じて左右方向に移動させることで、無駄な薬液を効果的に回収できる。
【００１２】
また、本発明に係る液処理方法は、水平保持した基板に対し、ノズルから薬液の供給を行う工程と、
ノズルから供給された薬液のうち、基板に接触しなかった薬液を、薬液回収手段により基板に接触した薬液から分離して回収する工程と、
次いで、基板上に洗浄液を供給し、この洗浄液により基板から洗い流された薬液を前記薬液回収手段とは別個のドレインラインにより排出する工程と、
薬液回収手段により回収された薬液をノズルへ送って再利用する工程と、を含むことを特徴とする。
【００１３】
【発明の実施の形態】
以下に本発明に係る液処理装置を現像装置に適用したときの実施の形態について、図１及び図２を参照しながら説明する。図中２１は基板である半導体ウエハ（以下ウエハという）Ｗを裏面側から真空吸着し、これを水平に保持する基板保持部をなすスピンチャックであり、その下方側を支持する駆動部２２により回転自在に構成されると共に、現像処理位置と図示しない搬送アームとの受け渡し高さまで上下可動となっている。スピンチャック２１により吸着保持されたウエハＷの側方には、これを取り囲むようにして各々上下可動な外カップ２３と内カップ２４とが設けられている。外カップ２３は昇降部２５の働きにより昇降可能とされており、外カップ２３の下端円周に沿って一定間隔ごとに設けられたＬ字部２６が引っ掛かることで、内カップ２４が外カップ２３の移動範囲の一部において連動して昇降するように構成されている。
【００１４】
外カップ２３は、四角筒状の上部側カップ２３ａと円筒状の下部側カップ２３ｂとを一体成形した構造をなしており、上部側カップ２３ａは図１及び図２に示すように、下方側に載置されるウエハＷに対して現像液の供給を行うためのノズル３が、該上部側カップ２３ａの一辺と平行に移動できる程度の大きさとなっている。一方の内カップ２４は、上部側が上方内側に傾斜し、上部側開口部が下部側開口部より狭くなるように形成された円筒体であり、上部側の傾斜面には計４カ所の薬液回収手段である液受け部４（４ａ，４ｂ，４ｃ，４ｄ）が設けられている。これら液受け部４（４ａ〜４ｄ）や、これに接続する関連部位等の詳細については後述する。
【００１５】
内カップ２４の下部側はスピンチャック２１の周囲を囲む円板２７ａと、この円板２７ａの周り全周に亘って凹部が形成された液受け部２７ｂとが設けられており、この液受け部２７ｂの側面より僅かに内側に外カップ２３（及び内カップ２４）が収まるように構成されている。また液受け部２７ｂの底面には排液管、排気管を兼用するドレインライン２７ｃが接続されており、円板３３周縁部には上端がウエハＷ裏面に接近する断面山形のリング体２８が設けられている。図１中２９ａは例えばウエハＷの外縁裏面側を洗浄するために設けられる洗浄ノズルであり、２９ｂは例えば前記洗浄ノズル２９ａから供給され、円板２７ａ側へ跳ね返った洗浄液を自然排水するためのドレインラインである。また、スピンチャック２１や外カップ２３からなる現像装置の上方には空気供給部３０が設けられており、ウエハＷにパーティクルが付着することを抑えるため、例えば所定温度及び湿度に調整された清浄な空気を下降流としてウエハＷ表面に供給できるように構成されている。
【００１６】
ここで、本実施の形態の要部である液受け部４及びこれに関連する部位について詳述する。液受け部４（４ａ〜４ｄ）は図２に示すように、ウエハＷの直径方向に対応する長さに亘って吐出孔３１が形成されるノズル３による現像液供給領域のうち、現像液がウエハＷ表面に供給されない領域に対応するように、且つ前記現像液供給領域よりも僅かに広い範囲をカバーするように設けられる。ここで液受け部４（４ａ〜４ｄ）について液受け部４ａを例に取り、図３の斜視図を参照しながら説明を行う。液受け部４ａは上面に概ね三角形をなす薬液回収口４１が形成された器であり、その内側上端はウエハＷと接近すると共にその外周に沿うように弧を描いた形状とされている。また薬液回収口４１の高さは、例えば内カップ２３が下降する現像処理時において、ウエハＷ表面と同レベルとなるように位置決めされており、更に薬液回収口４１における円弧部４１ａとウエハＷ外縁との間には、例えばノズル３が現像液の吐出を行いながら、ウエハＷ側から液受け部４ａに向けて移動するときに、ウエハＷ表面に一旦供給された現像液が表面張力で繋がって液受け部４ａ側に向かうことがないように、一定の離間距離αが設けられている。αの値は例えば５ｍｍ〜２０ｍｍ程度である。
【００１７】
また、液受け部４ａの外側壁面には排気手段である排気用ダクト４２が接続され、底面には液受け部４ａ内に溜まった現像液を排出（回収）するための回収管５１が接続されている。ここで図２に戻って排気用ダクト４２の下流側について説明すると、液受け部４ａ及び４ｂの排気用ダクト４２はバルブ４３を介して、液受け部４ｃ及び４ｄの排気用ダクト４２はバルブ４４を介して夫々排気ポンプ４５に接続されており、制御部６からバルブ４３及びバルブ４４における開閉制御を行うことで液受け部４の中で排気を行う部位と行わない部位とを２つずつ切り替えることができるようになっている。Ｘ座標を等しくする２つの液受け部４ごとに排気の切り替えを行うようにしたのは、ノズル３がＸ方向にスキャンするとき、現像液を回収済みの部位と未回収の部位とで排気の有無を切り替えられるようにするためである。
【００１８】
次に、液受け部４の回収管５１を含む現像液の循環機構、及びこれに関連する現像液の供給系について図４を参照しながら説明を行う。液受け４（４ａ〜４ｄ）に接続する各回収管５１の下流側には、回収槽５２が設けられており、その内部には制御部６と接続する例えば液面の高さを測定するためのセンサ５３が設けられている。そして回収槽５２の底面には回収した現像液をノズル３へと循環し、再利用を可能にするための循環路５４が接続されており、その途中には例えば上流側から順に、センサ５３から送られる測定データに基づいて制御部６により開閉制御が行われるバルブ５５と、回収槽５２から送られる現像液を例えば再利用可能なレベルまで浄化するためのフィルター部５６と、浄化された現像液または現像液供給源５７から供給される現像液の新液を貯留する貯留槽５８とが介設されている。また、循環路５４における貯留槽５８の上流側にはポンプＰ１が、同じく下流側にはポンプＰ２が夫々介設されている。
【００１９】
ここで再び図２に戻り、外カップ２３の外側について説明する。外カップ２３の外側には例えば上部側カップ２３ａの一辺と平行になるようにＹ方向に延びるガイドレール７１が設けられている。図２で示す状態では、ガイドレール７１の一端側にはノズル３を移動させる第１の移動機構７２が、他端側には洗浄ノズル７３を移動させる第２の移動機構７４が夫々位置しており、これらがガイドレール７１に案内されてウエハＷの上方を移動する構成となっている。また、既述の駆動部２２、昇降部２５、第１の移動機構７２及び第２の移動機構７４は夫々制御部６と接続されている。
【００２０】
次に本実施の形態における作用について図５、６及び７を参照しながら説明を行う。先ずスピンチャック２１が下降位置にある外カップ２３の上方まで上昇し、既に前工程でレジストが塗布され、露光処理されたウエハＷが図示しない搬送アームからスピンチャック２に受け渡される。続いてウエハＷは上面が内カップ２４上端とほぼ同じ高さになる位置まで下降し、ノズル３が例えばウエハＷの周縁外側の待機位置まで移動する。このときノズル３は、ウエハＷに対して現像液の供給を行う高さ、即ち例えば吐出孔３１がウエハＷ表面レベルよりも例えば１ｍｍ程度高くなるように位置決めされる。そして、例えばドレインライン２７ｃにおける排気を停止すると共に、現像液の吐出を行いながら例えば１０ｃｍ／ｓｅｃのスピードでノズル３のスキャンを開始し、ノズル３は図５に示すようにウエハＷの一端側から他端側へと移動していく。
【００２１】
ここでスキャン時におけるノズル３の位置と、各液受け部４（４ａ〜４ｄ）における排気状態との関係を説明すると、ノズル３がスキャンを開始する直前までは例えば図６(a)に示すように、全ての液受け部４ａ〜４ｄで排気が行われている。即ち、空気供給部３０から供給される清浄な空気はウエハＷ表面で外方側に向きを変え４つの液受け部４ａ〜４ｄへ向かって気流を形成するため、ウエハＷ表面はパーティクルの付着しにくい状態に保たれている。
【００２２】
そしてノズル３の移動開始に伴い、先ず制御部６はバルブ４３を閉じる制御を行い、図６(b)に示すように液受け部４ａ及び４ｂにおける排気が停止され、かかる状況下で現像液の供給が行われていく。このときウエハＷ表面に供給されない現像液は、斜線で図示されるように液受け部４ａ，４ｂの夫々に回収され、その後ノズル３がウエハＷの中心まで到達すると、制御部６がこんどはバルブ４４を閉じる制御を行い、液受け部４ａ，４ｂに加えて液受け部４ｃ，４ｄの排気も停止される。
【００２３】
ウエハＷ表面上の塗布液の層（塗布膜）は、ノズル３から供給される現像液と反応し、当該部位から現像が進行していくが、図６(c)に示すようにノズル３が液受け４ｃ，４ｄ側に到達するとき、図７に示すようにウエハＷ外縁では塗布膜Ｑ１と現像液Ｑ２との反応生成物が液受け部４（４ｃ）側へ向かおうとすることがある。しかし、既述のように吐出孔３１近傍部位における現像液の表面張力はウエハＷ表面から円弧部４１ａまで維持されずに途切れるため、ウエハＷ外方に溢れ出る前記反応生成物は、例えばウエハＷと円弧部４１ａとの隙間に落下し、ノズル３の移動先である液受け部４ｃ内には到達しない。従って液受け部４ｃ内には塗布液成分と反応していない純粋な現像液のみが回収されることとなる。
【００２４】
液受け部４（４ａ〜４ｄ）にて回収された現像液は、予め定めた量を越えると回収槽５２から貯留槽５８へと送られ、一定の清浄化を図った後にノズル３にて再利用されるが、以下に具体例を挙げて説明を行う。例えば、一回（ウエハＷ、１枚分）の現像処理においてノズル３から吐出される現像液の量を１０とし、液受け部４（４ａ〜４ｄ）を介して回収槽５２にて回収される現像液の量を３とすると、４枚のウエハＷを処理する途中で一回分の現像液が得られることとなる。従って、ノズル３では先ず４枚分の処理を行う間は、現像液供給源５７から貯留槽５８を介して送液される現像液を使用して現像処理を行い、回収槽５２内に貯留される現像液の量が１０に達すると制御部６はバルブ５５を開き、回収槽５２内の現像液を１０だけ再利用可能な程度に浄化しながら貯留槽５８へと送液する。そして例えば貯留槽５８には現像液供給源５７からは新液の供給が行われず、回収現像液のみで５枚目のウエハＷに対する現像処理が行われる。
【００２５】
ここで再び、一枚のウエハＷに対する現像処理に話を戻すと、ノズル３のスキャン終了時には、ウエハＷの表面に例えば１．２ｍｍの高さの液膜が形成され、ウエハＷの静止現像が行われる。一方、ノズル３はウエハＷの外方位置にて上部側カップ２３ａ上側まで上昇し、図２に示す基準位置へと戻る。そして例えば静止現像終了後、ドレインライン２７ｃ及び液受け部４（４ａ〜４ｄ）における排気を復帰させ、外カップ２３と共に内カップ２４を上昇させた後にウエハＷを回転させ、ノズル３と入れ替わった洗浄ノズル７３により洗浄液の供給を行うことで、ウエハＷ上の現像液が洗い流される。洗浄終了後、こんどは例えば洗浄ノズル２９ａによるウエハＷ裏面側の洗浄が行われ、スピン乾燥等を行った後、ウエハＷは図示しない搬送アームにより現像装置から搬出される。
【００２６】
このように本実施の形態によれば、ノズル３における現像液供給領域のうち、ウエハＷ以外の部分に対応して液受け部４（４ａ〜４ｄ）を設けると共に、この液受け部４（４ａ〜４ｄ）にて回収した現像液を循環させ、再度ノズル３にて利用できるようにしているため、従来無駄に捨てられていた分の現像液を効率的に利用することができ、ランニングコストを軽減させることができる。
【００２７】
また、現像液供給時における液受け部４とウエハＷとの距離を接近させ、より多くの現像液を回収できるようにすると共に、各々の最も接近する部分については、例えばウエハＷ表面にて塗布膜成分と反応した現像液の反応生成物が表面張力で液受け部４側に向かわないように、一定の離間距離を形成する構成としているため、高い純度の現像液を回収することができ、再利用に係る手間が少なくて済むという利点もある。
【００２８】
更に液受け部４における排気については、制御部６にて別個に排気のＯＮ、ＯＦＦを切り替えることができるように構成し、例えばノズル３がウエハＷ中央に達するまでは手前側のみ排気を行い、中央に達した後、全ての部位で排気を行うようにノズル３の位置と連動した制御を行っているため、現像液が供給される直前までウエハＷにおける未供給領域の清浄化を図ることができ、一方で既供給領域については排気が停止されて気流が形成されないため、例えば現像液表面が波打って現像欠陥が生じるおそれが軽減する。
【００２９】
ところで、上述実施の形態では排気箇所の切り替えを、液受け部４（４ａ〜４ｄ）ごとに行うようにしたが、例えば図８に示すように一の液受け部４の中に開閉制御可能な複数の排気用ダクトを設け、更に細かな排気部位の切り替えを行うようにしてもよい。この実施の形態は例えば液受け部４ｂの側面に、ノズル３の進行方向に沿うように排気用ダクト５１ａ，５１ｂ，５１ｃ，５１ｄを設けたものであり、制御部６はノズル３がスキャンを開始し、例えば図示する位置まで到達すると先ず排気用ダクト５１ａの排気を停止し、そして排気用ダクト５１ａの設けられるＹ座標に達する頃には排気用ダクト５１ｂの排気を停止し、同様に順次排気用ダクト５１ｃ、５１ｄと閉じていく。このような構成によれば、液受け部４ごとに排気制御を行っていた場合よりも更に直前まで、ウエハＷにおける現像液の未供給領域の汚染を防ぐことができる。
【００３０】
更にまた本実施の形態における液受け部は、例えば図９に示すような構成としても上述実施の形態と同様の効果を挙げることができる。本実施の形態における液受け部１００は、ノズル３の両端に、該ノズル３の吐出孔３１とウエハＷとの間に位置するように設けられる一対の対向するトレー１０１，１０２と、これらをノズル３の移動に併せて一体的にＹ方向に移動させると共に、当該Ｙ座標におけるウエハＷの現像液供給領域以外の部位に対応するようにトレー１０１及び１０２をＸ方向に移動させる駆動部１０３と、を備えた構成とされており、例えばトレー１０１，１０２にて回収した現像液を図示しない循環機構を介してノズル３に戻すことができるようになっている。
【００３１】
以上において液処理に用いる薬液は現像液に限定されるものでなく、例えば現像処理に先立って行われる塗布処理において用いられるレジスト液であってもよいし、或いは保護膜形成処理において用いられるポリイミド液であってもよい。ところで、特許請求の範囲に記載の「基板に塗布されなかった薬液」とは、基板に接触することなくノズルから直接薬液回収手段にて回収される薬液のみならず、例えば基板表面を介して間接的に基板の側方側または下方側に向かう薬液をも含む意味である。即ち、他の種類の薬液が混在しても再生可能なものであれば、ノズルから吐出された薬液を、不純物が混入したか否かに拘わらず一旦すべて回収し、しかる後に浄化或いは分離してから再利用する構成としてもよい。
【００３２】
また、例えば排気制御についてはは静止現像のように、液面への影響が問題とならない処理においては行わなくてもよい。更にまた、液受け部は上述実施の形態のように上方側から落下する薬液を開口部にて受け止める構成のものに限られず、例えばウエハＷの周囲を囲むと共に、ウエハＷの側方を上下に跨いだ範囲で内側に開口する開口部を有するものであってもよく、このような構成によれば例えばスピンコーティングのようなウエハＷを回転させながら薬液の供給を行う工程において、遠心力で側方に飛ばされた薬液を回収することができる。
【００３３】
次に上述の現像装置を現像ユニットに組み込んだパターン形成装置について図１０を参照しながら簡単に説明する。図中８１はカセットステーションであり、例えば２５枚のウエハＷを収納したカセットＣを載置するカセット載置部８２と、載置されたカセットＣとの間でウエハＷの受け渡しを行うための受け渡しアーム８３とが設けられている。この受け渡しアーム８３の奥側には筐体８４にて周囲を囲まれる処理部Ｓ１が接続されている。処理部Ｓ１の中央には主搬送手段８５が設けられており、これを取り囲むように例えば奥を見て右側には塗布・現像ユニットを組み合わせてなる液処理ユニット８６が、左側、手前側、奥側には加熱・冷却系のユニット等を多段に積み重ねた棚ユニットＵ１，Ｕ２，Ｕ３が夫々配置されている。
【００３４】
棚ユニットＵ１，Ｕ２，Ｕ３は、液処理ユニット８６の前処理及び後処理を行うためのユニットなどを各種組み合わせて構成されるものであり、例えば減圧乾燥ユニット、加熱ユニット、冷却ユニット等が含まれる。なお棚ユニットＵ２及びＵ３については、ウエハＷを受け渡すための受け渡し台を備えた受け渡しユニットも組み込まれる。また、上述した主搬送手段８５は例えば昇降及び前後に移動自在で且つ鉛直軸周りに回転自在に構成されており、液処理ユニット８６及び棚ユニットＵ１，Ｕ２，Ｕ３を構成する各ユニット間でウエハＷの受け渡しを行うことが可能となっている。
【００３５】
処理部Ｓ１の奥側にはインタ−フェイスユニットＳ２を介して露光ユニットＳ３が接続されている。インタ−フェイスユニットＳ２は例えば昇降自在、左右、前後に移動自在かつ鉛直軸まわりに回転自在に構成された受け渡し手段８７により処理部Ｓ１と露光ユニットＳ３との間でウエハＷの受け渡しを行うものである。
【００３６】
【発明の効果】
以上のように本発明によれば、基板に対し液処理をおこなう装置において、薬液の無駄を防ぐと共に、製品の歩留まりを向上させることができる。
【図面の簡単な説明】
【図１】本発明に係る液処理装置の実施の形態を表す断面図である。
【図２】本発明に係る液処理装置の実施の形態を表す平面図である。
【図３】液受け部の構造を示す斜視図である。
【図４】前記液処理装置における現像液の供給及び回収経路について示す概略説明図である。
【図５】本実施の形態の作用を説明する作用説明図である。
【図６】現像液供給工程と前記液受け部における排気との関係を示す説明図である。
【図７】ウエハＷ外縁における現像液供給の様子を示す説明図である。
【図８】本発明に係る液処理装置の他の実施の形態を示す概略平面図である。
【図９】本発明に係る液処理装置の更に他の実施の形態を示す概略斜視図である。
【図１０】前記液処理装置を組み込んだパターン形成装置の一例を示す平面図である。
【図１１】従来の液処理装置の一例を表す説明図である。
【図１２】従来の液処理装置の他の一例を表す斜視図である。
【符号の説明】
Ｗ          半導体ウエハ
２１    スピンチャック
２３    外カップ
２４    内カップ
３      ノズル
３１    吐出孔
４（４ａ，４ｂ，４ｃ，４ｄ）  液受け部
４１    薬液回収口
４２    排気用ダクト
５１    回収管
５２    回収槽
５８    貯留槽
６      制御部
【図１】
0003734154.tif 000002
【図２】
0003734154.tif 000003
【図３】
0003734154.tif 000004
【図４】
0003734154.tif 000005
【図５】
0003734154.tif 000006
【図６】
0003734154.tif 000007
【図７】
0003734154.tif 000008
【図８】
0003734154.tif 000009
【図９】
0003734154.tif 000010
【図１０】
0003734154.tif 000011
【図１１】
0003734154.tif 000012
【図１２】
0003734154.tif 000013